(57)【要約】【課題】熱媒体流通管の膨張・収縮に柔軟に対応でき、且つ熱媒体流通管の配設パターンを従来よりも幅広く実現することができる床暖房パネル、当該床暖房パネルを備えた床暖房設備を提供する。【解決手段】床暖房パネル１は、パネル本体２の片面に、複数の隆起部３が互いに等しい方向に沿って形成されており、隣り合う２つの隆起部の間には、温水パイプを配置することができる凹溝４が形成されている。パネル本体２は、隆起部３の一方の先端３ａよりも更に、隆起部３の伸長方向に沿って、凹溝４の開口径Ｗの少なくとも２倍ほど伸びている。【選択図】図１
2009281690.tif 000002
【特許請求の範囲】
【請求項１】
少なくともパネル本体の片面に、当該片面に沿って互いに等しい方向に伸びているとともに、互いに平行に並んだ複数の隆起部が設けられており、隣り合う当該隆起部と隆起部との間が、熱媒体流通管を配置するための、上記等しい方向に沿って伸びる凹溝として構成されている蓄熱式の床暖房パネルであって、
上記等しい方向に沿った上記隆起部の２つの先端のうちの少なくとも一方の先端は、上記床暖房パネルの端よりも内側に形成されており、
上記床暖房パネルを上記等しい方向に対して垂直な方向に切断して上記凹溝をみたときに、上記パネル本体が、上記一方の先端から上記床暖房パネルの上記端に向けて、当該凹溝を構成している一方の上記隆起部と他方の上記隆起部とにおける互いに等しい隆起高の位置における長さのうちの最大の長さよりも少なくとも２倍の長さを有して伸びていることを特徴とする床暖房パネル。
【請求項２】
上記床暖房パネルの上記端には、当該端に沿って、上記片面から突出した突出部が形成されていることを特徴とする請求項１に記載の床暖房パネル。
【請求項３】
上記隆起部の上記一方の先端は、上記床暖房パネルの上記端に向けて凸のラウンド形状を有しており、
上記突出部における上記隆起部の上記一方の先端との対向部分は、上記ラウンド形状に沿って、上記床暖房パネルの上記端に向けて凹の形状となっていることを特徴とする請求項２に記載の床暖房パネル。
【請求項４】
上記突出部には、上記凹溝の延長線上に、当該突出部における当該凹溝との対向位置に切り欠き部が設けられていることを特徴とする請求項２または３に記載の床暖房パネル。
【請求項５】
上記床暖房パネルは、中空構造体の内部に蓄熱材料を充填した構成であることを特徴とする請求項１から４までの何れか１項に記載の床暖房パネル。
【請求項６】
請求項１から５までの何れか１項に記載の床暖房パネルと、
上記凹溝に沿って配置される熱媒体流通管と、
上記熱媒体流通管に流通させる媒体を加熱する加熱手段とを備えていることを特徴とする床暖房設備。
【発明の詳細な説明】
【技術分野】
【０００１】
本発明は、蓄熱式の床暖房パネル、及び当該床暖房パネルを備えた床暖房設備に関するものである。
【背景技術】
【０００２】
床暖房設備は、床暖房パネルに与えられる熱によって暖房対象である床を暖房する。例えば、コンクリート床あるいはコンクリート床上に張られた下地合板のような床下地上に、木質系床材に電気ヒータあるいは温水用パイプ等の発熱源を組み込んだ床材を配置するようにした床暖房が知られており、その一つの形態として、発熱源として温水を用い、ガス給湯器のような温水発生源からの温水を温水循環用のパイプを通して循環させるようにしたものが実用化されている。
【０００３】
特許文献１には、そのような床暖房が記載されている。図２０は、特許文献１に記載されている床暖房設備に設けられた床暖房パネルＰを示している。床暖房パネルＰには、図２０に示すように、加熱用長尺体としての熱媒体流通管（不図示）を配管するための溝部１０２が形成された板状基材１０３を有している。板状基材１０３は、矩形板状の直線基材部分１０４の複数枚と、直線基材部分１０４の幅とほぼ同一の幅を備えた湾曲基材部分１０５の複数枚とから構成されている。板状基材１０３における溝部１０２は、平行またはほぼ平行な複数の上方が開口した凹入状の直線溝部１０２ａと、複数の直線溝部１０２ａの一端部でそれらの直線溝部１０２ａにわたって熱媒体流通管を配管するための上方が開口した凹入状の湾曲溝部１０２ｂとから構成され、直線基材部分１０４に設けられた直線溝部１０２ａと湾曲基材部分１０５に設けられた湾曲溝部１０２ｂとにわたって、熱媒体流通管を蛇行状に配管するように構成されている。湾曲基材部分１０５における湾曲溝部１０２ｂは、同じ形状に形成されており、その湾曲溝部１０２ｂは、直線基材部分１０４の幅方向に隣接する直線基材部分１０４において、一方側に隣接する直線基材部分１０４における直線溝部１０２ａにわたって熱媒体流通管１０１を配設することも、他方側に隣接する直線基材部分１０４における直線溝部１０２ａにわたって熱媒体流通管１０１を配設することも、また、同一の直線基材部分１０４における直線溝部１０２ａにわたって熱媒体流通管を配設することも可能な形状に構成されている。
【０００４】
また、特許文献２には、温水用パイプＰの循環路の形状に対応した凹溝を裏面に形成した複数の床材を用いた構成が記載されている。図２１（ａ）は、この構成を示した断面図である。直線状の凹溝２０２と該凹溝２０２を被覆する裏面シート２０４を持つ床材Ａの該凹溝２０２に温水用パイプＰを敷設し、続いて、端部同士を接続して温水の循環路を形成した後に、先に取り外しておいた端末用床材を床下地に固定して温水式暖房床を実現している。上記端末用床材としては、図２１（ｂ）に示す構成の床材を用いることができる。
【特許文献１】特開２００３−１９４３４６号公報（２００３年７月９日公開）
【特許文献２】特開平１０−２５３０８５号公報（１９９８年９月２５日公開）
【発明の開示】
【発明が解決しようとする課題】
【０００５】
上述のようにパイプを敷設する構成の床暖房パネルにおいては、パイプの膨張や収縮に対応可能な構造が求められている。また、パイプの配設パターンの自由度を高め、複雑な形状の床へ設置可能となる床暖房パネルを提供することが求められている。さらに、単位面積当たりの敷設率を高くすることも求められている。
【０００６】
そこで、本発明は、上記の課題に鑑みてなされたものであり、その目的は、パイプの膨張・収縮に柔軟に対応でき、且つパイプの配設パターンを従来よりも幅広く実現することができる床暖房パネル、及び当該床暖房パネルを備えた床暖房設備を提供することにある。
【課題を解決するための手段】
【０００７】
本発明に係る床暖房パネルは、上記の課題を解決するために、少なくともパネル本体の片面に、当該片面に沿って互いに等しい方向に伸びているとともに、互いに平行に並んだ複数の隆起部が設けられており、隣り合う当該隆起部と隆起部との間が、熱媒体流通管を配置するための、上記等しい方向に沿って伸びる凹溝として構成されている蓄熱式の床暖房パネルであって、上記等しい方向に沿った上記隆起部の２つの先端のうちの少なくとも一方の先端は、上記床暖房パネルの端よりも内側に形成されており、上記床暖房パネルを上記等しい方向に対して垂直な方向に切断して上記凹溝をみたときに、上記パネル本体が、上記一方の先端から上記床暖房パネルの上記端に向けて、当該凹溝を構成している一方の上記隆起部と他方の上記隆起部とにおける互いに等しい隆起高の位置における長さのうちの最大の長さよりも少なくとも２倍の長さを有して伸びていることを特徴としている。
【０００８】
上記の構成を備えた床暖房パネルは、熱媒体流通管（パイプ）の膨張・収縮に柔軟に対応でき、且つ熱媒体流通管の取りまわしパターンを従来よりも幅広く実現することができる。
【０００９】
具体的には、本発明に係る床暖房パネルによれば、上記等しい方向に沿って伸びる凹溝が形成されていることから、この凹溝に熱媒体流通管を配置することができる。そして、上記等しい方向に沿った上記隆起部の２つの先端のうちの少なくとも一方の先端は、上記床暖房パネルの端よりも内側に形成されており、上記床暖房パネルを上記等しい方向に対して垂直な方向に切断して上記凹溝をみたときに、上記本体が、上記一方の先端から上記床暖房パネルの上記端に向けて、当該凹溝を構成している一方の上記隆起部と他方の上記隆起部とにおける互いに等しい隆起高の位置における長さのうちの最大の長さよりも少なくとも２倍の長さを有して伸びている。
【００１０】
これにより、まず、或る１つの凹溝と、例えば当該或る１つの凹溝の隣に位置する凹溝とに、１本の熱媒体流通管をＵ字形状に曲げて配置したとき、Ｕ字形状に屈曲部分を配置するパネル本体は、凹溝の幅よりも広いスペースで形成されていることから、熱媒体流通管に温水などを通した際に熱媒体流通管が膨張・収縮しても、熱媒体流通管の屈曲部分が破裂したり、配置状態に不都合が生じにくくなる。ここで、配置状態の不都合とは、例えば、熱媒体流通管の屈曲部分を、熱媒体流通管１本が配置できる幅を有する溝に配置した場合、熱媒体流通管の膨張・収縮によって、熱媒体流通管の屈曲部分が溝から外れて、所望の暖房性能を実現することが困難になることをいう。本発明の構成によれば、そのような不都合が生じにくく、暖房機能の信頼性を向上させることができる。
【００１１】
そして、上記の構成によれば、或る１つの凹溝に配置された長い１本の熱媒体流通管を考えたときに、この熱媒体流通管をＵ字形状に曲げて、当該或る凹溝とは異なる別の凹溝にも配設する際、上記隆起部の上記一方の先端において、当該熱媒体流通管を、当該或る凹溝の隣の凹溝、あるいは更に隣の凹溝等、所望の凹溝に配設することができる。
【００１２】
従来技術の構成の場合は、パネルにおける、熱媒体流通管のＵ字に曲げた部分を配置する箇所には、熱媒体流通管１本分の幅の溝が、例えば隣の凹溝に続くように既に形成されている。そのため、仮に上記のように熱媒体流通管を、或る凹溝の隣の凹溝、あるいは更に隣の凹溝等のように配設しようとした場合、熱媒体流通管が配設されない凹溝が生じてしまうことになる。すなわち、従来技術の場合は、熱媒体流通管の配設パターンの種類は事前に制限されていることになる。これに対して、本発明の構成によれば、熱媒体流通管の屈曲部分を配置する部分が広く構成されているため、従来と比較して、配設パターンに自由度がある。
【００１３】
また、本発明に係る床暖房パネルは、上記床暖房パネルの上記端には、当該端に沿って、上記片面から突出した突出部が形成されていることが好ましい。
【００１４】
これにより、上記片面から突出した突出部が、熱媒体流通管を屈曲させたときの屈曲部分と接触して屈曲をより適切にガイドすることができるとともに、接触することによって、熱媒体流通管の熱を上記突出部によって蓄熱することができる。
【００１５】
また、本発明に係る床暖房パネルは、上記隆起部の上記一方の先端は、上記床暖房パネルの上記端に向けて凸のラウンド形状を有しており、上記突出部における上記隆起部の上記一方の先端との対向部分は、上記ラウンド形状に沿って、上記床暖房パネルの上記端に向けて凹の形状となっていることが好ましい。
【００１６】
上記の構成によれば、上記突出部と、上記隆起部の上記先端の上記凸のラウンド形状とが、熱媒体流通管の屈曲をガイドすることができる。
【００１７】
また、本発明に係る床暖房パネルは、上記突出部には、上記凹溝の延長線上に、当該突出部における当該凹溝との対向位置から上記床暖房パネルの端までを貫く切り欠き部が設けられていることが好ましい。
【００１８】
上記の構成によれば、上記凹溝と、上記突出部の上記切り欠き部とが一直線上にあることから、上記凹溝に配置した熱媒体流通管を、そのまま上記切り欠き部に通して床暖房パネルの端に引き出すことができる。すなわち、本発明によれば、本発明に係る床暖房パネルを、上記凹溝の延設方向に沿って３つ以上並べて、その３つを上記凹溝の延設方向に沿って１本の熱媒体流通管を配置させることができる。具体的には、第１、第２、第３の（本発明に係る）床暖房パネルをこの順で上記凹溝の延設方向に沿って並べて、第１の床暖房パネルの凹溝に配置される熱媒体流通管を、上記切り欠き部と通して第２の床暖房パネルの凹溝に配置し、更に上記切り欠き部と通して第３の床暖房パネルの凹溝に配置することができ、第３の床暖房パネルの端において、上記隆起部の上記一方の先端から伸びたパネル本体において当該熱媒体流通管をターン（屈曲）させて、第３の床暖房パネルの別の凹溝を通って、切り欠き部、第２の床暖房パネル、切り欠き部、第１の床暖房パネルの順で配置することができる。
【００１９】
ここで、仮に、上記切り欠き部が設けられていない床暖房パネルを用いた場合、これを上記と同じように３つ並べたとしても、上述した本発明のように１本の熱媒体流通管を３つの床暖房パネルに渡って一直線に配置することはできない。すなわち、本発明の場合、１本の熱媒体流通管の配置形状が、直線部分であっても、ターン部分であっても、本発明の床暖房パネルの構造で対応することができる。よって、直線部分及びターン部分それぞれに別の床暖房パネルの構造を採用する必要がある構成と比較して、汎用性が高い。
【００２０】
また、後述するように、本発明の床暖房パネルは、好ましくはブロー成型によって製造される。そのため、上述したように本発明の構成によれば、１つの鋳型を準備すれば、上記した直線部分の床暖房パネルも、ターン部分の床暖房パネルも製造することができ、効率的な製造、及び製造コストの低減を実現することができる。
【００２１】
また、本発明に係る床暖房パネルは、中空構造体の内部に蓄熱材料を充填した構成であることが好ましい。
【００２２】
蓄熱材料は蓄熱する温度において相変化を起こす等、形態が大きく変化するものが多い。そのため、蓄熱材料を内部に充填することにより、蓄熱材の相変化に対応することが可能となる。
【００２３】
また、本発明に係る床暖房設備は、上記の課題を解決するために、上記した構成の床暖房パネルと、上記凹溝に沿って配置される熱媒体流通管と、上記熱媒体流通管に流通させる媒体を加熱する加熱手段とを備えていることを特徴としている。
【００２４】
上記の構成を備えた床暖房パネルは、上述したように、熱媒体流通管（パイプ）の膨張・収縮に柔軟に対応でき、且つ熱媒体流通管の取りまわしパターンを従来よりも幅広く実現することができるため、信頼性の高い暖房機能を実現できる。そのため、このような床暖房パネルを具備することによって、汎用性の高い床暖房設備を提供することができる。
【発明の効果】
【００２５】
本発明によれば、熱媒体流通管の膨張・収縮に柔軟に対応でき、且つ熱媒体流通管の取りまわしパターンを従来よりも幅広く実現することができる床暖房パネル及び当該床暖房パネルを備えた床暖房設備を提供することができる。
【発明を実施するための最良の形態】
【００２６】
本発明の実施の一形態について図に基づいて説明する。尚、以下の説明では、本発明を実施するために技術的に好ましい種々の限定が付されているが、本発明の範囲が以下の実施形態及び図面に限定されるものではない。
【００２７】
〔第１の形態〕
（１）床暖房パネル
図１は、本形態における床暖房パネル１の構成を示した図である。図１の（ａ）は、本形態における床暖房パネル１の上面図である。尚、説明の便宜上、位置を示すためにＡ・Ｂ・Ｃ・Ｄを付している。また、図１の（ｂ）は、図１の（ａ）に示した床暖房パネル１の下面を示した図であり、図１の（ｃ）は、（ａ）に付したＡ・Ｂ・Ｃ・Ｄのうちの辺Ａ−Ｃ側の側面図であり、（ｄ）は、辺Ｂ−Ｄ側の側面図である。
【００２８】
図１に示す本形態における床暖房パネル１は、コンクリート床やコンクリート床上に張られた下地合板のような床下地の上に配置することによって、床上面を暖めるために用いることができ、発熱源である後述する熱媒体流通管を組み込む態様となった床暖房パネルである。
【００２９】
本形態の床暖房パネル１は、中空構造体の内部に蓄熱材料が充填された構成となっている。図１の（ａ）及び（ｃ）に示すように、床暖房パネル１の側部には、中空構造体の内部と、外部とを連通する開口部１ａが設けられており、この開口部１ａから、中空構造体の内部に蓄熱材料を流入させ、当該内部に充填し、蓄熱式の床暖房パネルとすることができる。開口部１ａには蓋が設けられていてもよい。
【００３０】
上記中空構造体としては、樹脂、金属等が挙げられるが、加工性がよく軽量であることから熱可塑性樹脂からなるものが好ましく用いられる。熱可塑性樹脂としては、エチレン系樹脂、プロピレン系樹脂、スチレン系樹脂、ポリエステル樹脂、ＡＢＳ樹脂等が挙げられる。軽量で高剛性であり加工性が良好であること等から、プロピレン系樹脂が特に好ましい。
【００３１】
本形態においては、床暖房パネル１の温度が２５〜３５℃の温度範囲において、当該床暖房パネルの蓄熱量が２００〜２０００ｋｃａｌ／ｍ２となるように中空構造体及び蓄熱材料の組成物及び充填量が設定されていることが好ましい。尚、本明細書における蓄熱量とは、床暖房パネル１の単位面積当たりの蓄熱量を意味する。
【００３２】
上記蓄熱材料としては、硫酸ナトリウム１０水和塩（融解熱２５１ｋｊ／ｋｇ）、塩化カルシウム６水和物（融解熱１９２ｋｊ／ｋｇ）、酢酸ナトリウム３水和物（融解熱２６４ｋｊ／ｋｇ）、チオ硫酸ナトリウム５水和物（融解熱１９７ｋｊ／ｋｇ）、リン酸水素二ナトリウム１２水和物等の塩水和物がある。また、パラフィンＣ１８（融解熱２４３ｋｊ／ｋｇ）、同Ｃ２０（融解熱２４７ｋｊ／ｋｇ）、同Ｃ２２（融解熱１５７ｋｊ／ｋｇ）、ワックス等の有機物化合物等を蓄熱材料の主材として用いることができる。
【００３３】
尚、本発明に係る床暖房パネルは、上記の形態に限定されるものではなく蓄熱材そのものからパネル本体を構成してもよい。
【００３４】
本形態の床暖房パネル１は、パネル本体２の片面、すなわち図１の（ａ）に示す上面に、複数の隆起部３と、凹溝４と、突出部５と、切り欠き部６とが設けられた構成となっている。
【００３５】
ここで、図１の（ｂ）に示す本形態の床暖房パネル１の下面の構造は特に限定されるものではなく、平坦であってもよく、溝が形成されていてもよい。あるいは、パネル本体２の上面と同じ構成が設けられていてもよい。本形態の床暖房パネル１の下面には、後述する陥入部と、溝とが形成されている。
【００３６】
上記パネル本体２は、本形態の床暖房パネル１の床面積を規定することになる外形を構成しており、床面積に相当する大きさ（図１の（ａ）及び（ｂ）に示す面の面積）は特に制限されるものではないが、例えば、図１の（ａ）の辺Ａ−Ｃ及び辺Ｂ−Ｃの長さを２５０ｍｍとして、辺Ａ−Ｂ及び辺Ｃ−Ｄの長さを８００ｍｍとする長方形状に構成することができる。また、上記中空構造体の肉厚は１ｍｍとすることができる。
【００３７】
このようなパネル本体２の上面には、図１の（ａ）に示すように、複数の隆起部３が設けられている。隆起部３は、当該面から垂直方向に隆起しており、隆起部３同士は、当該面に沿って互いに等しい方向に伸びているとともに、互いに並行に並んでいる。具体的には、長方形状であるパネル本体２（床暖房パネル１）の長辺である辺Ａ−Ｂ及び辺Ｃ−Ｄに沿って伸びている。
【００３８】
図２（ａ）は、図１の（ａ）及び（ｂ）に示す切断線Ｐ−Ｐ´にて床暖房パネル１を切断した状態を示した矢視断面図である。図２（ａ）に示すように、或る隆起部３と、これと隣り合う別の隆起部３との間は、所定の幅を有して互いに離間している。すなわち、隣り合う隆起部３と隆起部３との間が、後述する熱媒体流通管を配置するための、上記等しい方向に沿って伸びる凹溝４として構成されている。具体的には、凹溝４はいずれも、図１の（ａ）に示すように、長方形状であるパネル本体２（床暖房パネル１）の長辺である辺Ａ−Ｂ及び辺Ｃ−Ｄに沿って互いに平行に形成されている。尚、隆起部３の上面は、図２（ａ）に示すように平坦である。
【００３９】
図２（ｂ）は、図２（ａ）の部分拡大断面図である。隆起部３の上記上面と、凹溝４の底部までの長さは、特に制限されるものではないが、例えば７．５ｍｍとすることができる。この長さは、換言すれば、凹溝４の深さに相当し、また、隆起部３の隆起高に相当する。また、隣り合う隆起部３同士は、互いに隆起高が等しい。また、隣り合う凹溝４の間隔は互いに等しくてもよいが、互いに異なっていてもよい。例えば、凹溝４同士の間隔は６７．５ｍｍとすることができる。また、隆起部３の上記上面から、パネル本体２の下面（図１の（ｂ））までの厚さは、１２ｍｍとすることができる。
【００４０】
床暖房パネル１の切断線Ｐ−Ｐ´における断面でみた凹溝４の形状は、Ｕ字型である。すなわち、隆起部３の隆起面（凹溝４を構成する面）は、図２（ｂ）に示すように湾曲している。
【００４１】
上述したように、隆起部３同士は、図１の（ａ）に示すように、長方形状であるパネル本体２の長辺である辺Ａ−Ｂ及び辺Ｃ−Ｄに沿って伸びているが、ここで注目すべきは、隆起部３の伸長方向に沿った一方の先端３ａが、床暖房パネル１の辺Ｂ−Ｄ端部（以下、これをパネル本体２の端２ｂと記載する）よりも内側に位置している点にある。また、上記一方の先端３ａは、図１の（ａ）に示すように、パネル本体２の端２ｂに向けて凸となったラウンド形状を有している。以下、図３に基づいて、詳述する。
【００４２】
図３は、図１の（ａ）及び（ｂ）に示す切断線Ｓ−Ｓ´にて床暖房パネル１を切断した状態を示した矢視断面図である。切断線Ｓ−Ｓ´は、或る１つの隆起部３における床暖房パネル１の辺Ｂ−Ｄ方向の幅のちょうど半分の位置に相当し、上記した凸となったラウンド形状をなした先端３ａを含む位置に相当する。
【００４３】
図３に示すように、隆起部３の上記一方の先端３ａは、パネル本体２の端２ｂよりも内側に位置している。すなわち、パネル本体２が、上記一方の先端３ａよりも更に端２ｂに向けて伸びている。一方の先端３ａから端２ｂに向けて伸びているパネル本体２の長さを長さＹとしたとき、隆起部３の伸長方向に対して垂直な方向に切断して凹溝４をみた凹溝４の開口径、すなわち、図２（ｂ）に示す凹溝４の開口径をＷとすると、長さＹは、開口径Ｗの少なくとも２倍の長さ（Ｙ≧２Ｗ）の関係が成立するように構成されている。例えば、凹溝４の開口径Ｗが１０ｍｍの場合、パネル本体２は、隆起部３の一方の先端３ａから２０ｍｍ伸びている。
【００４４】
また、図１の（ａ）及び（ｂ）に示す切断線Ｔ−Ｔ´にてパネル本体２を切断した状態を示した矢視断面図を図４に示す。切断線Ｔ−Ｔ´は、辺Ｂ−Ｄと平行である。図４に示すように、パネル本体２の上面２ｃは、端部にまで及んでいる。
【００４５】
また、本形態では、隆起部３の一方の先端３ａからパネル本体２の端２ｂに向けて、図３に示すように長さＹのパネル本体２が伸びた先に、パネル本体２の上記上面２ｃから突出した上記突出部５が形成されている。すなわち、隆起部３の一方の先端３ａと突出部５との互いの対向部分は、パネル本体２の上面２ｃによって長さＹを有して離間されている。
【００４６】
上記突出部５は、隆起部３と同じく、パネル本体２の上面２ｃに対して垂直方向に突出している。突出部５は、図１の（ａ）に示すように、パネル本体２の端２ｂに沿って形成されている。突出部５の高さは、隆起部３の隆起高と等しい、または実質的に等しい。突出部５の突出面（図１の（ａ）に示されている面）は、略平坦であり、隆起部３の上記上面と面一または実質的に面一となっている。また、突出部５における、隆起部３の一方の先端３ａとの対向面は、一方の先端３ａの上記ラウンド形状に沿って湾曲した形状を有している。
【００４７】
突出部５は、後述する熱媒体流通管を屈曲させて配置したときに熱媒体流通管の屈曲部分と接触して当該屈曲をガイドすることができる。また、接触することによって、熱媒体流通管の熱は突出部５の内部に充填された蓄熱材料に蓄熱される。
【００４８】
そして、本形態では、図１の（ａ）に示すように、突出部５における凹溝４との対向位置に設けられた切り欠き部６によって突出部５が分断された構成となっている。具体的には、本形態の床暖房パネル１の辺Ｂ−Ｄ側の側面である図１の（ｄ）に示すように、突出部５は、辺Ｂ−Ｄ方向に、凹溝４と同じ幅Ｗを有する切り欠き部６によって突出部５が分断されている。すなわち、図１の（ａ）及び（ｂ）に示す切断線Ｑ−Ｑ´にて床暖房パネル１を切断した状態を示した矢視断面図である図５をみると、本形態の床暖房パネル１は、パネル本体２の辺Ａ−Ｃ側の端から辺Ｂ−Ｄ側の端まで平坦である。
【００４９】
ここで、図３に示した断面構造には、隆起部３の一方の先端３ａの近傍に隆起部３の上記上面と床暖房パネル１の下面とからそれぞれ陥入している陥入部７が設けられている。陥入部７は、図１の（ａ）及び（ｂ）に示すように、複数の隆起部３の上面及び床暖房パネル１の下面に散在している。例えば、本形態では、図１の（ａ）及び（ｂ）に示す切断線Ｒ−Ｒ´にて床暖房パネル１を切断した状態を示した矢視断面図である図６をみると、隣り合う凹溝４と凹溝４との間に２つの陥入部７が設けられている。
【００５０】
陥入部７の拡大断面図を、図７に示す。複数の隆起部３の上面に設けられた陥入部７は、隆起部３の上面から床暖房パネル１の下面に向けて陥入しており、床暖房パネル１の下面に設けられた陥入部７は、床暖房パネル（パネル本体）の下面から隆起部３の上面に向けて陥入しており、両方の陥入部７は、隆起部３の上面と床暖房パネル（パネル本体）の下面とのほぼ中間位置において厚さ約１ｍｍの壁（パネル本体の一部）を介して隣り合っている。陥入部７は、本形態の床暖房パネル１（図１）の強度を所望の強度に保つために用いられる。
【００５１】
本形態の床暖房パネル１（図１）は、好ましくはブロー成形によって製造することができる。この方法は、特に、本形態のように中空構造体を成形する場合に有効である。中空の構造物を形成する際、中空ではない構造のものと比較して、強度が弱い。しかしながら、上記した陥入部７をもうけることによって、例えば床上からの重量物による圧縮に耐え得る圧縮強度や、高温となった際の内部からの圧力に耐え得る耐圧強度等が向上することになるため、床暖房パネル全体の強度を高めることができる。
【００５２】
ここで、床暖房パネル１（パネル本体２）の下面には、図１の（ｂ）に示すように陥入部７及び溝８が形成されている。この溝８は、パネル本体２の片面に設けられた凹溝４（図１の（ａ））と平行に設けられているが、図２（ａ）に示すように、切断線Ｐ−Ｐ´での断面図に示すように、溝８と凹溝４との位置は、一致しておらず、図２（ａ）に示すように互い違いに配置されている。しかしながら、本発明はこれに限定されるものではなく、溝８と凹溝４との位置は、一致していてもよい。尚、図１の（ａ）に示す切断線Ｘ−Ｘ´にて床暖房パネル１を切断した状態を示した矢視断面図である図８をみると、溝８と陥入部７とが図示するように一致している。
【００５３】
次に、床暖房パネル１の配置について説明する。一般に、上述したような床暖房パネル１は、複数を配列して、配列した状態で１本の熱媒体流通管を配置する。配列したものは、好ましくは１８００ｍｍ×９００ｍｍの面内に収まるように構成される。例えば、上述したような辺Ａ−Ｂが８００ｍｍの床暖房パネル１を横に２枚並べて１６００ｍｍとして、床暖房パネル１の辺Ａ−Ｃは２５０ｍｍなので、床暖房パネル１と床暖房パネル１との間４５ｍｍにスペーサー１０を設けて、床暖房パネル１を縦に３枚並べて８４０ｍｍとすることができる。図９は、この構成を示している。並べた床暖房パネル群に１本の熱媒体流通管を配置するために、横に２枚並べた床暖房パネル１同士は、互いの突出部５が隣り合わないように配置される。熱媒体流通管を配置した状態については、後述する。
【００５４】
また、例えば辺Ａ−Ｂが５５０ｍｍの本形態の床暖房パネルを用いた場合は、１８００ｍｍ×９００ｍｍの面内に収まるためには、床暖房パネルを横に３枚並べて１６５０ｍｍとする必要がある。図１０はこの状態を示している。この際、本形態の床暖房パネル１は、図１の（ａ）に示すように、切り欠き部６が設けられているので、辺Ａ−Ｃから辺Ｂ−Ｄまで、熱媒体流通管を一直線に配置することができる。そのため、本形態の床暖房パネルを横に３枚並べた場合であっても、熱媒体流通管を１枚目の端から３枚目の端まで一直線に配置することができる。横に並んだ３枚のうちの中央（２枚目）の床暖房パネル１は、突出部５の位置が左右反対になってもよい。また、本発明はこれに限定されるものではなく、中央の床暖房パネルは、一直線の凹溝が形成されているのみの構造を有したものを採用することもできる。
【００５５】
床暖房パネル群は、コンクリート床やコンクリート床上に張られた下地合板のような床下地の上に、当該床暖房パネルの隆起部形成面を床下地と対向させるようにして配置することができる。しかしながら、本発明はこれに限定されるものではなく、床下地と床暖房パネルとの間にウレタンなどの断熱素材からなるマットを配置してもよい。
【００５６】
（２）暖房設備
上記の床暖房パネル１を備える本形態の暖房設備について、図１１を用いて説明する。
【００５７】
図１１は、本形態の暖房設備の構成について示した図である。図１１に示すように、本形態の暖房設備２０は、上記床暖房パネル１と、熱媒体流通管２１と、加熱手段２２とを備えている。
【００５８】
上記加熱手段２２は、図１１に示すように、圧縮機２３と、熱媒循環配管２４と、膨張弁２５と、室外熱交換器２６と、貯湯タンク２７と、給湯水循環配管２８と、ポンプ２９と、給湯用熱交換器３０と、第１温水循環配管３１と、ポンプ３２と、第２温水循環配管３３と、ポンプ３４と、床暖房用熱交換器３５とを有している。例えば、二酸化炭素（ＣＯ２）等の熱媒ガスを高温・高圧に圧縮するための圧縮機２３に、熱媒を循環させる熱媒循環配管２４が接続されている。この熱媒循環配管２４には圧縮されて凝縮された熱媒液を減圧膨張するための膨張弁２５及び室外空気の熱を吸収するための室外熱交換器２６が接続されている。一方、室外の所定位置には温水を貯留するための貯湯タンク２７が配設され、この貯湯タンク２７に接続された給湯水循環配管２８にはポンプ２９が接続され、給湯水循環配管２８及び熱媒循環配管２４には給湯用熱交換器３０が接続されている。そして、この給湯用熱交換器３０によって、熱媒循環配管２４内を流れる熱媒の熱を利用して給湯水循環配管２８内を流れる給湯水を加熱するようになっている。
なお、貯湯タンク２７には加熱された給湯水を取り出す蛇口が設けられると共に、減少した水を補給するための給水配管が接続されている。
【００５９】
貯湯タンク２７には温水（給湯水）をポンプ３２によって循環させるための第１温水循環配管３１が接続されている。一方、室内の床には上述した構成の床暖房パネル１が配設され、床暖房パネル１には上記熱媒体流通管２１が蛇行するように配設されている。この熱媒体流通管２１の両端部には温水をポンプ３４によって熱媒体流通管２１に循環させるための第２温水循環配管３３が接続されている。第１温水循環配管３１及び第２温水循環配管３３に床暖房用熱交換器３５が接続されている。そして、床暖房用熱交換器３５によって第１温水循環配管３１内を流れる温水の熱により熱媒体流通管２１及び第２温水循環配管３３を流れる床暖房用の水を加熱するようになっている。
【００６０】
図１２は、図９に示した床暖房パネル群に熱媒体流通管２１を配設した状態を示している。また、図１３は、図１０に示した床暖房パネル群に熱媒体流通管２１を配設した状態を示している。尚、これらの配置は、一例に過ぎず、他の配設パターンであってもよい。図１４は、図９に示した床暖房パネル群に、図１２の配設パターンとは異なるパターンで配設した状態を示している。また、図１５は、横に３列、縦に４列並んだ床暖房パネル群を用いて、当該床暖房パネル群に熱媒体流通管２１を配設した状態を示している。
【００６１】
熱媒体流通管２１としては、図２（ｂ）に示した床暖房パネル１の凹溝４の大きさに合わせたものを用いればよく、図２（ｂ）に示した凹溝４の開口径Ｗが１０ｍｍものであれば、温水を流通させた状態での熱媒体流通管の径が１０ｍｍとなるものを用いればよく、凹溝４の開口径Ｗが７．５ｍｍものであれば、温水を流通させた状態での熱媒体流通管の径が７．５ｍｍとなるものを用いればよい。ここで、「温水を流通させた状態での熱媒体流通管」とは、温水が流通していない状態において熱媒体流通管は収縮したものであってもよいことを示唆している。しかしながら、本発明はこれに限定されるものではなく、温水の流通の如何を問わず、熱媒体流通管の径が常に同じであるものであってもよい。
【００６２】
熱媒体流通管２１としては、特に制限されないが、耐久性の観点から架橋ポリエチレンチューブを用いることが好ましい。しかしながら、本発明はこれに限定されるものではなく、塩化ビニル製のものや、シリコン製のものであってもよい。
【００６３】
また、本形態の床暖房パネル群への熱媒体流通管２１の配設方法は、特に限定されるものではなく、図１の（ａ）に示した凹溝４に沿って熱媒体流通管を嵌め込みながら、例えば粘着テープのような固定手段を用いて、固定する方法を採用することができる。また、熱媒体流通管が所定のパターンで予め貼り付けられているシートに、床暖房パネルの凹溝４（図１の（ａ））が形成されている面を対向させるようにして配置して、熱媒体流通管を嵌め込んでもよい。
【００６４】
以上のように、本形態に係る暖房設備に設けられた床暖房パネルは、図１の（ａ）にし示したように、或る凹溝４と、例えば当該或る凹溝４の隣に位置する凹溝４とに１本の熱媒体流通管をＵ字形状に曲げて配置したとき、凹溝４の幅よりも広いスペースで形成されているパネル本体２に、屈曲した部分が配置されることから、熱媒体流通管に温水などを通した際に熱媒体流通管が膨張・収縮しても、熱媒体流通管の屈曲部分が破裂したり、配置状態に不都合が生じにくく、所望の暖房性能を実現することができる。
【００６５】
また、或る凹溝４に配置された長い１本の熱媒体流通管を考えたときに、この熱媒体流通管をＵ字形状に曲げて、当該或る凹溝４とは異なる別の凹溝４にも配設する際、上記隆起部３の一方の先端３ａにおいて、熱媒体流通管を、当該或る凹溝４の隣の凹溝４、あるいは更に隣の凹溝４等、所望の凹溝４に配設することができる。すなわち、従来技術の構成の場合は、パネルにおける、Ｕ字形状に曲げた熱媒体流通管の屈曲部分を配置する部分には、熱媒体流通管１本分の大きさの溝が、例えば隣の凹溝に続くように既に形成されている。そのため、配設パターンの種類は事前に制限されている。これに対して、本形態の構成によれば、熱媒体流通管の屈曲部分を配置する部分が広く構成されているため、従来と比較して、配設パターンに自由度をもたせることが可能である。
【００６６】
さらに、近年、床暖房パネルとして、温水を通す「温水式」のものが多く利用されている。その理由としては、夜間（深夜）電力を用いて媒体（水）を加熱することによって省エネを実現できるという手法が注目されてきたためである。そして、この加熱された水（温水）の熱を効率的に利用するために、本形態は、上述したように蓄熱式のパネルを用いている。夜間に作成した温水を熱媒体流通管に通液して、蓄熱させておけば、暖房を長時間持続させることができる。
【００６７】
また、上述したように、本形態の床暖房パネルは、突出部５と突出部５との間に切り欠き部６が形成されているため、凹溝４の伸長方向に床暖房パネルを３つ以上並べて配置しても、１本の熱媒体流通管を床暖房パネル群の一方の端から他方の端まで一直線に配置することができる。すなわち、上記の構成によれば、本形態の床暖房パネルは、凹溝４の伸長方向に沿って並ぶ複数の床暖房パネルのうち、床暖房パネルと床暖房パネルとの間に位置する、熱媒体流通管が直線状に配置される部分の床暖房パネルとして適用することができ、また、両端に位置する、熱媒体流通管がターンする部分の床暖房パネルとしても用いることができ、高い汎用性を有していると言える。また、床暖房パネル製造過程では、１つの鋳型を準備すれば、上記した直線部分の床暖房パネルも、上記したターン部分の床暖房パネルも製造することができ、効率的な製造、及び製造コストの低減を実現することができる。
【００６８】
〔第２の形態〕
上記の第１の形態では、蓄熱材料を充填するために設けられた開口部１ａが、図１の（ａ）及び（ｃ）に示すように床暖房パネル１の側面に設けられている。しかしながら、本発明はこれに限定されるものではなく、図１６に示すように、開口部１ａ´がパネルの角に設けてもよい。
【００６９】
また、上記の第１の形態の床暖房パネル１は、図３に示すように、隆起部３の一方の先端３ａが、パネル本体２の上面２ｃから垂直方向に伸びた面を有している。しかしながら、本発明はこれに限定されるものではない。図１７は、上記した第１の形態で用いた図３と同じ断面構成で見た、本形態のパネル本体２の上面２ｃ、及び当該上面２ｃを挟んで対向する隆起部３の一方の端３ａの面と突出部５との構造を示した図である。図１７のように、隆起部３の一方の端３ａの面と、突出部５における隆起部３との対向面は、湾曲している。このように湾曲している場合、隆起部３の一方の先端３ａの面と、パネル本体２の上面２ｃとの境界から、パネル本体２の端部２ｂに向けて、凹溝４の開口径Ｗ（図２（ｂ））の２倍の長さほどパネル本体２が伸びていればよい。
【００７０】
〔第３の形態〕
また、上記の第１の形態では、図２（ｂ）に示すように凹溝４の断面がＵ字型であるが、本発明はこれに限定されるものではなく、図１８に示すように、断面が円形の凹溝４´であってもよい。また、本形態では、隆起部３の一方の先端３ａからのパネル本体２の伸び（図３のＹ）を、凹溝４の開口径Ｗによって規定しているが、図１８に示すような形状の場合、開口径ではなく、凹溝を構成している一方の隆起部と他方の隆起部とにおける互いに等しい隆起高の位置における長さのうちの最大の長さをＷとする。
〔第４の形態〕
また、上記の第１の形態では、図２（ｂ）に示すように凹溝４の断面がＵ字型であるが、本発明はこれに限定されるものではなく、図１９に示すように、断面が四角の凹溝４´´であってもよい。
【産業上の利用可能性】
【００７１】
本発明に係る床暖房パネルは、熱媒体流通管の膨張・収縮に柔軟に対応でき、且つ熱媒体流通管の配設パターンを従来よりも幅広く実現することができる。従って、暖房パネルを備えた床暖房設備に適用することができる。
【図面の簡単な説明】
【００７２】
【図１】本発明の一実施形態に係る床暖房パネルの構成を示した図である。
【図２】（ａ）は、図１に示す切断線Ｐ−Ｐ´にて床暖房パネルを切断した状態を示した矢視断面図であり、（ｂ）は、（ａ）に示した構成の一部を拡大した拡大断面図である。
【図３】図１に示す切断線Ｐ−Ｐ´にて床暖房パネルを切断した状態を示した矢視断面図である。
【図４】図１に示す切断線Ｔ−Ｔ´にて床暖房パネルを切断した状態を示した矢視断面図である。
【図５】図１に示す切断線Ｑ−Ｑ´にて床暖房パネルを切断した状態を示した矢視断面図である。
【図６】図１に示す切断線Ｒ−Ｒ´にて床暖房パネルを切断した状態を示した矢視断面図である。
【図７】図６に示した構成の一部を拡大した拡大断面図である。
【図８】図１に示す切断線Ｘ−Ｘ´にて床暖房パネルを切断した状態を示した矢視断面図である。
【図９】図１に示す床暖房パネルを複数配置した床暖房パネル群を示した上面図である。
【図１０】図９とは異なる形式において、図１に示す床暖房パネルを複数配置して、その床暖房パネル群に１本の熱媒体流通管を組み込んだ状態を示した上面図である。
【図１１】本発明の一実施形態に係る暖房設備の構成を示した図である。
【図１２】図９に示す床暖房パネル群に、１本の熱媒体流通管を組み込んだ状態を示した上面図である。
【図１３】図１０に示す床暖房パネル群に、１本の熱媒体流通管を組み込んだ状態を示した上面図である。
【図１４】１本の配設パターンの一例を示した上面図である。
【図１５】１本の配設パターンの一例を示した上面図である。
【図１６】図１に示す床暖房パネルの変形例を示した図である。
【図１７】図１に示す床暖房パネルの変形例を示した図である。
【図１８】別の形態の床暖房パネルの部分断面図である。
【図１９】別の形態の床暖房パネルの部分断面図である。
【図２０】従来例の構成を示した断面図である。
【図２１】従来例の構成を示した断面図である。
【符号の説明】
【００７３】
１    床暖房パネル
１ａ  開口部
２    パネル本体
２ｂ  端部
２ｃ  上面
３    隆起部
３ａ  一方の先端
４、４´、４´´    凹溝
５    突出部
７    陥入部
１０  スペーサー
２０  暖房設備
２１  熱媒体流通管
２２  加熱手段
２３  圧縮機
２４  熱媒循環配管
２５  膨張弁
２６  室外熱交換器
２７  貯湯タンク
２８  給湯水循環配管
２９  ポンプ
３０  給湯用熱交換器
３１  第１温水循環配管
３２  ポンプ
３３  第２温水循環配管
３４  ポンプ
３５  床暖房用熱交換器
【図１】
2009281690.tif 000003
【図２】
2009281690.tif 000004
【図３】
2009281690.tif 000005
【図４】
2009281690.tif 000006
【図５】
2009281690.tif 000007
【図６】
2009281690.tif 000008
【図７】
2009281690.tif 000009
【図８】
2009281690.tif 000010
【図９】
2009281690.tif 000011
【図１０】
2009281690.tif 000012
【図１１】
2009281690.tif 000013
【図１２】
2009281690.tif 000014
【図１３】
2009281690.tif 000015
【図１４】
2009281690.tif 000016
【図１５】
2009281690.tif 000017
【図１６】
2009281690.tif 000018
【図１７】
2009281690.tif 000019
【図１８】
2009281690.tif 000020
【図１９】
2009281690.tif 000021
【図２０】
2009281690.tif 000022
【図２１】
2009281690.tif 000023